(57)【要約】  高い耐久性、吸音力、防火性を有する吊り下げ天井パネル。パネルは複数の開口を有する本体基板を備えている。また、本体基板は天井グリッド部材に接続されるようになっている。本体基板の外側露出面は不織繊維材料によって覆われている。パネルの下側露出面上の不織繊維材料と組み合わされた本体基板の複数の開口は、従来の音響パネルの外観を与えつつも、望ましい吸音性および耐火性を与える。【選択図】  図１
2007530831.tif 000002
【特許請求の範囲】
【請求項１】
所定の有効面積を持つ建造物内で使用するための表面耐燃焼性を有する耐久性のある吸音パネルであって、
第１の面および第２の面を有し、前記第２の面が前記第１の面の反対側にあって設置時に環境領域から実質的に隠れるパネル基板を備え、
前記パネル基板は、建造物から支持できるとともに、当該パネル基板の表面にわたって広がる複数の開口を含んでおり、
前記パネル基板の前記第１の面に、前記開口を覆うように取り付けられた不織繊維材料を備え、
前記不織繊維材料は、設置時に当該材料がほぼ完全に露出して建造物の環境領域から見ることができるように位置されている、吸音表面耐燃焼性パネル。
【請求項２】
前記不織繊維材料が接着剤によって前記パネル基板の前記第１の面に取り付けられている、請求項１に記載の吸音表面耐燃焼性パネル。
【請求項３】
前記複数の開口は、第１のサイズを有する第１のグループと、第２のサイズを有する第２のグループとを含む、請求項１に記載の吸音表面耐燃焼性パネル。
【請求項４】
前記複数の開口が、約０．０３９インチ〜約０．１１７インチの範囲のサイズを有する、請求項３に記載の吸音表面耐燃焼性パネル。
【請求項５】
前記パネルを通じた気流抵抗が約９００ｍｋｓレイル〜約１０５０ｍｋｓレイルである、請求項１に記載の吸音表面耐燃焼性パネル。
【請求項６】
前記不織繊維材料を通じた気流抵抗が約１００ｍｋｓレイル〜約６００ｍｋｓレイルである、請求項１に記載の吸音表面耐燃焼性パネル。
【請求項７】
前記パネルが少なくとも２つの側縁部を含み、
前記各側縁部が、吊り下げられた天井グリッドに接続するためのフランジを有し、
前記吊り下げられた天井グリッドが、互いに接続されてパネル開口を形成する複数のグリッド部材を含んでおり、
前記グリッド部材がハンガによって建造物から吊り下げられている、請求項１に記載の吸音表面耐燃焼性パネル。
【請求項８】
前記複数の開口が第３のサイズを有する第３のグループを含む、請求項３に記載の吸音表面耐燃焼性パネル。
【請求項９】
建造物内で使用するための内装パネルにおいて、
最小の基板の曲げを伴ってその縁部により支持されるようになっている半剛体パネル基板であって、第１の面と、この第１の面と反対側の第２の面とを有し、内装パネルが建造物内に設置される際に前記第２の面が実質的に隠れる半剛体パネル基板と、
前記パネル基板に設けられ且つ第１のサイズを有する複数の開口の第１のセットと、
前記パネル基板の前記第１の面に取り付けられて前記開口の第１のセットを覆うとともに、建造物内に設置される際に実質的に視認できる不織繊維材料と、
を備える内装パネル。
【請求項１０】
前記不織繊維材料が接着剤によって前記パネル基板の前記第１の面に取り付けられている、請求項９に記載の内装パネル。
【請求項１１】
前記複数の開口が、約０．０３９インチ〜約０．１１７インチの範囲のサイズを有する、請求項９に記載の内装パネル。
【請求項１２】
前記パネルを通じた気流抵抗が約９００ｍｋｓレイル〜約１０５０ｍｋｓレイルである、請求項９に記載の内装パネル。
【請求項１３】
前記不織繊維材料を通じた気流抵抗が約１００ｍｋｓレイル〜約６００ｍｋｓレイルである、請求項９に記載の内装パネル。
【請求項１４】
前記パネルが少なくとも２つの側縁部を含み、
前記各側縁部が、吊り下げられた天井グリッドに接続するためのフランジを有し、
前記吊り下げられた天井グリッドが、互いに接続されてパネル開口を形成する複数のグリッド部材を含んでおり、
前記グリッド部材がハンガを用いて建造物から吊り下げられている、請求項９に記載の内装パネル。
【請求項１５】
前記パネルが、前記パネル基板に形成され、且つ第２のサイズを有する複数の開口の第２のセットを含む、請求項９に記載の内装パネル。
【請求項１６】
前記パネルが、前記パネル基板に形成され、且つ第３のサイズを有する複数の開口の第３のセットを含む、請求項９に記載の内装パネル。
【請求項１７】
建造物内で使用するための内装パネルにおいて、
外面と、この外面と反対側の内面とを有し、パネルが建造物内に設置される際に前記内面が実質的に隠れるようになっている半剛体パネル基板と、
前記パネル基板を貫通し且つ面にわたって広がる第１のサイズを有する複数の開口と、
前記パネル基板の外面に接着され、前記開口を覆うように位置されるとともに、パネルが建造物内に設置される際に実質的に視認できるようになっている不織繊維材料と、
を備える内装パネル。
【請求項１８】
前記不織繊維材料が接着剤によって前記パネル基板の前記外面に取り付けられている、請求項１７に記載の内装パネル。
【請求項１９】
前記複数の開口が、約０．０３９インチ〜約０．１１７インチの範囲のサイズを有する、請求項１７に記載の内装パネル。
【請求項２０】
前記パネルを通じた気流抵抗が約９００ｍｋｓレイル〜約１０５０ｍｋｓレイルである、請求項９に記載の内装パネル。
【請求項２１】
前記不織繊維材料を通じた気流抵抗が約１００ｍｋｓレイル〜約６００ｍｋｓレイルである、請求項１７に記載の内装パネル。
【請求項２２】
パネルが少なくとも２つの側縁部を含み、
前記各側縁部が、吊り下げられた天井グリッドに接続するためのフランジを有し、
前記吊り下げられた天井グリッドが、互いに接続されてパネル開口を形成する複数のグリッド部材を含んでおり、
前記グリッド部材がハンガによって建造物から吊り下げられている、請求項１７に記載の内装パネル。
【請求項２３】
前記パネルが、前記パネル基板を貫通し且つ第２のサイズを有する複数の開口の第２のセットを含む、請求項１７に記載の内装パネル。
【請求項２４】
前記パネルが、前記パネル基板に形成され、且つ第３のサイズを有する複数の開口の第３のセットを含む、請求項１７に記載の内装パネル。
【請求項２５】
所定の有効面積を持つ建造物内で使用するための耐火性を有する耐久性のある吸音天井システムであって、
互いに接続されてグリッドを形成するとともに、建造物から吊り下げられるようになっている複数のグリッド部材を備え、
第１の面および第２の面を有し、前記第２の面が前記第１の面の反対側にあって設置時に環境領域から実質的に隠れているパネル基板を備え、
前記パネル基板が、建造物から支持できるとともに、当該パネル基板の表面にわたって広がる複数の開口を含んでおり、
前記パネル基板の前記第１の面に、前記開口を覆うように取り付けられた不織繊維材料を備え、
前記不織繊維材料が、設置時に当該材料がほぼ完全に露出して建造物の環境領域から見ることができるように位置されている、吸音天井システム。
【請求項２６】
前記不織繊維材料が接着剤によって前記パネル基板の第１の面に取り付けられている、請求項２５に記載の耐久性のある吸音天井システム。
【請求項２７】
前記複数の開口が、第１のサイズを有する第１のグループと、第２のサイズを有する第２のグループとを含む、請求項２５に記載の耐久性のある吸音天井システム。
【請求項２８】
前記複数の開口が、約０．０３９インチ〜約０．１１７インチの範囲のサイズを有する、請求項２７に記載の耐久性のある吸音天井システム。
【請求項２９】
前記パネルを通じた気流抵抗が約９００ｍｋｓレイル〜約１０５０ｍｋｓレイルである、請求項２５に記載の耐久性のある吸音天井システム。
【請求項３０】
前記不織繊維材料を通じた気流抵抗が約１００ｍｋｓレイル〜約６００ｍｋｓレイルである、請求項１に記載の耐久性のある吸音天井システム。
【請求項３１】
パネルが少なくとも２つの側縁部を含み、
前記各側縁部が、吊り下げられた天井グリッドに接続するためのフランジを有し、
前記吊り下げられた天井グリッドが、互いに接続されてパネル開口を形成する複数のグリッド部材を含んでおり、
前記グリッド部材がハンガを用いて建造物から吊り下げられている、請求項２５に記載の耐久性のある吸音天井システム。
【請求項３２】
前記複数の開口が第３のサイズを有する第３のグループを含む、請求項２７に記載の耐久性のある吸音天井システム。
【請求項３３】
前記第２の面が多孔質防音材料から成る層を含む、請求項２５に記載の耐久性のある吸音天井システム。
【請求項３４】
前記複数の開口が、円、正方形、三角形、長方形、楕円から成るグループから選択される、請求項２５に記載の耐久性のある吸音天井システム。
【発明の詳細な説明】
【背景】
【０００１】
本開示は、吊り下げ天井システムに関し、特に、パネル張りの吸音天井システムに審美性および耐火性を与えるパネル下側露出面上の不織繊維化粧材料を含む有孔金属天井パネルを使用する新規な改良されたシステムに関する。
【０００２】
単なる背景技術としてであり限定するものではないが、吊り下げ天井システムは、一般に、対向して延びる天井パネル支持フランジを与えるグリッド部材を含む。これらのシステムにおいて、天井パネルの縁部は、それらをグリッド部材によって形成されたパネル開口内に位置させることにより取り付けられる。また、金属天井パネルの垂直に延びる縁部を把持するように形成されたチャンネルを含むグリッド部材を有する吊り下げ天井システムも存在する。これらの天井パネルは、一般に、グリット部材のチャンネル内へとフランジを押し上げてスナップ結合することにより取り付けられ、通常は「スナップアップ天井パネル」と称されている。一般的なレイ−イン（ｌａｙ−ｉｎ）グリッド部材は、軽量な美的天井パネルを形成するために、スラグウール繊維および／または再生紙および膨張パーライトまたはガラス繊維によって製造される。これらのグリッドパネルの一部は、商業空間、居住空間、工業空間での使用において求められる耐久性または吸音性を持っていない。
【０００３】
以上に鑑みて、高い耐久性および吸音性を与える天井パネルの必要性が存在することは言うまでもない。本開示は、これらの必要性および他の必要性を満たすとともに、更なる関連する利点を与える。
【概要】
【０００４】
本開示は、高い消音性および高い耐久性がある新規で且つ改良された吊り下げ天井パネルとして説明されてもよい。好ましい実施形態において、パネルは、様々なサイズの複数の開口を有する金属パネル基板を備えている。また、本体は天井グリッド部材に接続されるようになっている。金属パネル基板の外側露出面はそれに対して接着される不織繊維材料によって覆われている。パネルの下側露出面上の不織繊維材料と組み合わされたパネル基板に形成された様々な寸法の開口は、従来の音響パネルの外観を与えるだけでなく、望ましい吸音性と火炎の広がりおよび煙の発生に対する耐性も与える。
【０００５】
本開示の他の特徴および利点は、本開示の実施形態が記載され、且つ図示されている以下の説明および添付図面において部分的に示されており、また、添付図面と併せて解釈される以下の詳細な説明を考慮することにより明らかになる。
【０００６】
添付図面と併せて解釈される本開示の実施形態の以下の説明を参照することにより、本開示の前述した特徴および他の特徴並びにこれらの特徴を得るための方法が更に明らかとなり、また、開示が最もよく理解される。
【詳細な説明】
【０００７】
以下、特定の実施形態が示される添付図面を参照しながら本開示内容を十分に説明するが、当業者がここに記載された開示内容を変更できることは最初に理解されるべきである。したがって、以下の説明は、当業者を対象とする広い参考的開示内容として理解されるべきであり、本開示を限定するものと理解されるべきではない。
【０００８】
図示されるように、図１は、本開示に係るスナップ式繊維化粧天井パネル１０を組み込む組立吊り下げ天井の一部を示している。そのような天井パネルシステムにおいては、グリッド構造体１３を形成するためにグリッド部材１２が互いに接続される。グリッド部材１２は、天井パネル１０を受けられるサイズの開口１４を形成するように配置されている。グリッド部材１２は、ワイヤハンガ１６または他の支持構造体により建造物から吊り下げられる。
【０００９】
グリッド構造体１３を形成するため、平行な均等に離間されたグリッド部材１２の列がワイヤハンガ１６によって吊り下げられている。グリッド部材１２の各列は、繊維化粧天井パネル１０のサイズに合うように離間されている。２フィート×２フィートの天井パネルに適合させるため、グリッド部材１２は中央で２フィート離間されている。また、グリッド構造体１３は、パネル１０を掛合するために必要な開口を形成するため、グリッド部材１２の第１のセットに対して垂直に向けられたグリッド部材１８の第２のセットを含む。
【００１０】
繊維化粧天井パネル１０は、通常は矩形状であり、一般的には正方形状であり、金属によって形成されることが好ましい。パネル１０は、それらが耐衝撃性を有し、穿孔時に撓まず或いは破砕しない自耐性を持つという点で丈夫である。使用される天井デザインに応じて、パネル１０を正方形状または図８に示されるような湾曲形状に形成することが望ましい場合があるが、他の形状が使用されてもよい。他の形状としては、第１の高さから第２の高さへと移行できる図５および図６に示されるような移行パネルが挙げられる。図７は、光沢が低い或いは光沢が高い反射パネルであってもよい、化粧仕上げ材料が無い装飾移行パネル５５を示している。繊維化粧天井パネル１０の製造において使用される好ましい材料は金属であるが、石膏、木材、木質繊維、プラスチック、および、繊維化粧天井パネル１０の基本形状および剛性を保ちつつ穿孔が可能な他の基板材料を含む他の材料が使用されてもよい。金属材料およびプラスチック材料、例えばポリカーボネートは、所望の形状を含むように或いはグリッド構造体１３に対して接続するための様々な縁部形状を形成するようにパネルを金型成形でき或いはプレス成形できるため好ましい。繊維化粧天井パネル１０は内面２０と外面２２とを含む。また、パネル１０は、パネルが開放位置に向かってグリッドシステム１３に対して回動できるように、パネル１０の第１の角部２５に沿ってヒンジ２４を有していてもよい。パネル１０は、パネル１０の縁部５８に沿ってフランジ２６を有することが好ましい。フランジ縁部およびヒンジ縁部が開示されているが、パネル１０をグリッドシステムに対して固定するために他の縁部形状が使用されてもよい。
【００１１】
図１に示されるように、繊維化粧天井パネル１０は、フランジ２６の使用によってグリッド構造体１３に接続されるパネル１０を表わしている。全ての金属天井パネルが４フィート×４フィートもの大きさになる場合には、パネルが比較的大きなサイズおよび重量となって、パネルの取り付けおよび取り外しが困難になるため、ヒンジ２４を使用して天井パネル１０を支持することが有益である。ヒンジの使用についての更なる説明は、参照することにより本願に組み込まれる米国特許第６，４６７，２２８号において見出すことができる。そのような大きな表面を有する一片のシートメタルを用いて作業を行なうと、何らかの不適切な取り扱いにより、天井パネル１０の全体の仕上がりが損なわれる場合がある。また、天井パネル１０の全長に及ぶヒンジ２４を使用することにより、パネルの重量がパネル１０の角部２５全体にわたって均一に分配され、それにより、パネル１０の底面２０に見られる波打ちが防止される。更に、天井パネル１０がグリッド部材１２に接続されると、天井パネル１０を上方に回動させてフランジ２６をグリッドにスナップ結合することにより容易に閉じることができるように、天井パネル１０が自動的に位置合わせされる。
【００１２】
図２は、図１の矢印の方向で見た２−２線に沿う断面であり、グリッド部材１２と、第１の天井パネル１０の角部２５に沿うヒンジ２４と、第２の天井パネル１０のフランジ縁部２６とを示している。この実施例のグリッド部材１２は、形鍛造されたシートメタルの単一の断片から製造される。グリッド部材１２は、製造後に、バルブ部３４と、チャンネル３６と、バルブ部３４とチャンネル３６とを接続する二重層ブリッジ部３８とを含む。グリッド部材１２の全体の形状は、屈曲を防止できる強度を与えるような形状である。一般に、ブリッジ部３８の長さに沿って開口（図示せず）が配置されており、それにより、ワイヤハンガ１６を貫通させてバルブ部３４の周囲に巻き付けることができる。図１に示されるようなワイヤの形態を成すことができるワイヤハンガ１６が開口（図示せず）に貫通されてバルブ部３４の周囲に巻き付けられると、ワイヤハンガ１６がそれ自体の周囲に数回巻き付けられて、ワイヤハンガがほどけることが防止される。
【００１３】
ブリッジ部３８は、一般に、グリッド構造体１３を形成するために１つのグリッド部材１２を第２のグリッド部材１８に対して接続することができるスロット（図示せず）を有する。図２に示されるようなチャンネル３６は、ブリッジ部３８の二重層を外側に９０度、下側に９０度、内側に９０度曲げてボックス状のチャンネル３６を形作ることにより形成される。底縁部４２は、フランジ２６のための係合縁部およびヒンジ２４のための保持面としての機能を持つようにするために、折り重ねられている。ヒンジ２４は、ヒンジ２４を上側に９０度だけ形鍛造して上方へ延びる脚部４３を形成した後、縁部を内側に９０度だけ形鍛造して内側リップ４４を形成することにより、天井パネル１０に形成される。ヒンジ２４の内側リップ４４は、グリッド部材１２のチャンネル３６の底縁部４２上に載置する。図２に示されるフランジ２６は、天井パネル１０の縁部２６を上方に９０度だけ型鍛造または成形（モールディング）して垂直部材４５を形成し且つリブ４８を形作ることによって形成される。天井パネル１０は、底縁部４２を乗り越えるようにリブ４８を押し込むことにより、グリッド構造体１３に対して保持される。リブ４８は、当該リブ４８が底縁部４２上に載置しているときにチャンネル３６内に適切に位置される。垂直部材４５は、天井パネル１０が所定位置から外れないようにリブ４８を付勢する。リブ４８を有する縁部を使用することが好ましいが、縁部２６がフランジを有さないレイ−イン配置（ｌａｙ−ｉｎ  ａｒｒａｎｇｅｍｅｎｔ）を含む他のグリッド係合機構が使用されてもよい。
【００１４】
また、図２は、建造物の環境領域から見えるパネル基板１１の外面２２に取り付けられた繊維化粧材料５４も示している。建造物の環境領域は、他の活動を行なうために居住者によって使用される建物内の空間として画成される。それは建造物内の居住空間である、環境領域から、繊維化粧材料５４は、ほぼ露出されており居住者によって下側から見ることができる。パネル１０の内面２０は、環境領域から実質的に隠れており、居住者によって下側から見ることができない。繊維化粧材料５４は、望ましくない光沢のある外観を有する塗装された金属製の天井パネルとは対照的に、ソフトな外観を天井に与える審美的表面を形成している。
【００１５】
図３は、第１の直径を有する複数の開口５２および第２の直径を有する複数の開口５３のパネル１０上の配置を示す繊維化粧天井パネル１０の平面図である。パネル１０の外面２２上の不織繊維化粧材料５４は、複数の開口５２，５３を含むパネル１０の全面２２を覆っている。繊維化粧材料５４がパネル１０に取り付けられると、繊維化粧材料５４だけが下側から見える。パネル基板１１または開口５２，５３は下側から見えない。繊維化粧天井パネル１０の吸音メカニズムは、不織繊維材料５４の孔およびパネル１０の穿孔を通過する気流の抵抗に起因する共鳴吸収体音響減衰の組み合わせである。様々な周波数で吸音を最大にするためには、３つの主要なパラメータを最適化する必要がある。これは、開口５２を有するパネル１０の穿孔の程度と、繊維化粧材料５４の気流抵抗と、プレナム高さ、すなわち、構造体と天井との間の距離とを含む。
【００１６】
図４は代替の開口配置の平面図を示している。この開口配置において、パネル１０は、第１の直径を有する複数の開口５２と、第２の直径を有する複数の開口５３と、第３の直径を有する複数の開口５５とを含む。３つの開口サイズの組み合わせは、様々な周波数の音波の抵抗を高める。図１に示される開口５２は全てが均一なサイズである。
【００１７】
パネル１０の穿孔の程度は、部分的には、選択された基板材料の強度と、機械的衝撃および過度なパネル屈曲に対するその耐性とによって決まる。金属やプラスチック等の基板は広範囲にわたって穿孔することができるが、石膏ボードは、強度を維持するために、その表面積の約２０％以下に制限される。適切な消音性を得るために、基板は約１０％〜約３５％の開孔面積で穿孔される。場合によって、パネル１０の面５０の開孔面積のパーセンテージは約３０％〜約３３％が最適である。
【００１８】
音は様々な周波数で構成されている。例えばシンバルは高周波を発し、一方、ベースドラムは低周波を発する。周波数の振幅が様々であると、音を十分に弱める媒体を設けることが難しくなる。特定の媒体は、低周波ノイズを捕らえるのに有効であるが、高周波ノイズを捕らえることができない。異なる周波数で吸音を高めるため、基板パネル１１には直径が異なる開口が穿孔される。より具体的には、２つまたは３つの異なる開口サイズが好ましい。パネル１０が所望の消音性を得るため、パネルの開口の直径は約０．０３９インチ〜約０．１１７インチであり、これにより、所望の消音性が達成される。穿孔パターンは、１５／１２８インチ開口と３／３２インチ開口との組み合わせが好ましい。円形の開口が好ましいが、卵形、三角形、多角形、正方形、または、楕円形状の開口も使用できる。直径が大きい開口は、振幅が大きい低周波音の通過を許容し、一方、直径が小さい開口は、振幅が小さい高周波音の通過を許容する。
【００１９】
パネルから最大の利益を得るには、パネル１０間の間隔が重要である。パネルの吸音性を最大にするためには、パネル間の隙間許容範囲は、約ゼロ隙間〜約３／８インチの範囲、好ましくは約ゼロ隙間〜約１／４インチ隙間の範囲で十分である。パネル間の間隔が３／８インチよりも大きいと、過剰な音がグリッド１２からそれて部屋内へ戻る可能性があり、天井システムの有効性が低減してしまう。
【００２０】
本開示のパネル１０の試験では、パネルによって煙が発達して火炎が広がることにより、業界基準よりも実質的に低い値が得られた。建物の中の居住者が煙を吸入することなく逃げることができる能力を高めるには、ビル火災での煙の発達を制限することが不可欠である。一般に、火災時には、火それ自体ではなく、煙の吸入により居住者が死に至る。
【００２１】
不織繊維化粧材料５４は接着剤を用いてパネル基板に取り付けられる。不織繊維化粧材料５４を天井パネル１０に接着するために使用される接着剤は、基板に適合するホットメルト接着剤であることが好ましい。また、接着剤は、パネル１０に付着された化粧仕上げ材料５４のタイプと適合していなければならない。ホットメルト接着剤が好ましいが、他のタイプの接着剤、例えばスプレー接着剤、ブラシ接着剤またはロールオン接着剤が使用されてもよいことは予測できる。また、パネルの吸音性は、繊維化粧材料５４で使用される接着剤のタイプおよび量によって変えられる。
【００２２】
パネル基板１１および繊維化粧材料５４は、フランジ２６を形成するためにパネル１０を所望の形状へと金型成形或いはプレス成形できるように形成されている。図５および図６に示されるような移行パネル５７、または、図８に示されるような湾曲天井パネルは、パネルを金型成形またはプレス成形することにより形成されてもよい。移行パネル５７は、第１の天井高さから第２の天井高さへと移行するために使用され、パネル１０を屈曲させ或いは湾曲させることによって形成することができる。パネル１０を所望の形状へと形成できるように、パネル基板１１は、スチール、アルミニウムまたは高分子によって形成されることが好ましい。パネル基板１１の外面５１を覆うために使用される繊維化粧材料５４は、パネルに形成される際に材料が破れたり裂けたりしない限り、様々な材料から成ることができる。試験時、ガラス繊維等の特定の材料は、パネル１０が成形されてフランジ２６または他の形状が形成される際に、裂けたり、ひびが入ったりする。繊維化粧材料５４として使用できる好ましい材料としては、ポリエステル系繊維を有する高分子混合物が挙げられる。別のそのような使用できる材料はＮＹＬＯＮ６とポリエチレンとの組み合わせである。繊維材料の高分子混合物は、材料５４を通じた気流の通過を許容するとともに、繊維材料５４がパネル１０に対して接着された後に繊維化粧材料５４を裂くことなくパネル１０の成形を可能にする。
【００２３】
所望の消音性を得るため、繊維化粧材料５４と組み合わされたパネル基板１１は約９００ｍｋｓレイル〜約１０５０ｍｋｓレイルの気流抵抗を有していなければならない。比気流抵抗は、試料の気流抵抗とその面積との積である。これは、パネル１０の両端間の気圧差を、パネル１０の外側で測定された気流の線速度で割った値に相当する。多孔パネル基板と組み合わされた繊維化粧材料５４の気流抵抗は、音響減衰プロセスの効率性にとって極めて重要である。気流抵抗が非常に高い場合、材料は、あたかもそれが固体壁であるかのように音波を反射する。気流抵抗が非常に低い場合には、音波が材料を自由に貫通する。いずれの場合にも、音響減衰は最適とならない。化粧材料５４の好ましい気流抵抗は約１００ｍｋｓレイル〜約６００ｍｋｓレイルでなければならない。
【００２４】
パネル１０の気流抵抗は、パネルを通過する気体の速度に対する材料両端間の圧力降下の比として規定され、ｃｇｓレイル（ｄｙｎｅ／ｃｍ２  ｐｅｒ  ｃｍ／ｓｅｃ）で表わすことができる。流れ抵抗率の決定は、任意の多孔質材料の音響性能を説明する際の主な特性である。全ての繊維材料は、その製造プロセスまたは固有の性質に基づく特定の流れ抵抗特性を有する。繊維化粧材料５４と有孔パネル１０との組み合わせである本パネル１０などの複合材料の場合には、各構成要素の個々の流れ抵抗を理解することが重要である。しかしながら、結果として得られるパネル１０の性能を最適に得るためには、繊維化粧材料５４およびパネル基板１１の全体のシステムの流れ抵抗を調整して吸音力を最大にすることが極めて重要である。前述したように、この最適な気流抵抗は約９００ｍｇｓレイル〜約１０５０ｍｋｓレイルである。
【００２５】
殆どの場合、パネル１０の裏側におけるプレナム高さ６４は制限され、したがって、パネル１０の吸音性能は図２に示されるような短いプレナム隙間によって制限される。プレナム高さが短いパネル１０の吸音力を更に高めるため、ガラス繊維、鉱物繊維、熱可塑性高分子繊維、熱硬化性高分子繊維、炭素質繊維、トウワタ繊維、または、発泡防音材（好ましくは、ポリオレフィンマイクロファイバメルトブロー生成物）などの多孔質防音材料５６から成る第２の層をパネル１０の内面２０に取り付けることができる。
【００２６】
パネル１０は、グリッド構造体１３に接続される４つの縁部５８を有して形成されている。パネル１０は、様々な縁部形状を用いてグリッド構造体１３に対して接続できる。パネル１０の縁部５８は垂直部材４５とリブ部材４８とを含むことができる。これにより、パネルはグリッド部材１２，１８の底縁部４２にスナップ結合できる。更なる他の代替の手段において、パネル１０は、縁部２５を有しておらず、グリッド構造体１３により形成された開口１４内に単に配置される。
【００２７】
図面および上記説明において本開示の概念を詳細に図示して説明してきたが、そのような図面および説明は、典型例とみなされるべきであり、特徴を制限せず、また、例示的な実施形態が図示されて説明されているだけであり、本開示の思想の範囲内に入る全ての変更および改良が望ましく且つ保護されることは言うまでもない。
【００２８】
本明細書中で説明した装置、システム、方法の様々な特徴から生じる本開示内容から推測できる利点は複数ある。なお、本開示の装置、システム、方法のそれぞれの代替の実施形態は、これまでに説明した特徴の全てを含まなくてもよく、そのような特徴の推測される利点の少なくとも一部の利益を享受する。当業者は、本開示の１つ以上の特徴を組み入れ且つ添付の請求項により規定される本発明の思想および範囲内に入る装置、システム、方法の自分自身の実施を容易に考え出すことができる。
【図面の簡単な説明】
【００２９】
【図１】繊維化粧天井パネルを示す、あるタイプの天井システムの斜視図である。
【図２】グリッドシステムに接続された繊維化粧天井パネルを示す、２−２線に沿う天井システムの断面図である。
【図３】穿孔の間隔およびサイズを示す天井パネルの平面図である。
【図４】代替の穿孔パターンを示す天井パネルの平面図である。
【図５】第１の高さから第２の高さへ移行する繊維化粧天井パネルを示す天井システムの斜視図である。
【図６】第１の高さから第２の高さへ移行する繊維化粧天井パネルを示す天井システムの別の斜視図である。
【図７】繊維化粧天井パネルから他のタイプの天井パネルへの移行を示す天井システムの斜視図である。
【図８】湾曲した繊維化粧天井パネルを示す天井システムの斜視図である。
【図１】
2007530831.tif 000003
【図２】
2007530831.tif 000004
【図３】
2007530831.tif 000005
【図４】
2007530831.tif 000006
【図５】
2007530831.tif 000007
【図６】
2007530831.tif 000008
【図７】
2007530831.tif 000009
【図８】
2007530831.tif 000010
【国際調査報告】
2007530831.tif 000011